(57)【要約】      （修正有）【課題】平袋とガゼット袋とを両用して被包装物の充填を可能にする包装装置の提供。【解決手段】クランプ１２で支持する包袋１０の袋口を、加熱シーラと冷却シーラとの温度差でもって包袋両側のひだ３１を、同包袋内部の一側面２９に溶着し、その後充填セクションで、まずひだ３１が包袋内部に接着していない側（A）から包袋下部４１を、ひだ３１が包袋１０の内面に溶着している側の方向（B）に押し上げる（矢印４２）。ひだ３１を溶着する面２９は３枚重ねで弾力が増しているので、折り曲げによりひだ溶着面２９は外方向に膨らまされ（矢印４３）るので、両側のクランプ１２の接近４４と相まって包袋１０の袋口は広がる。このため平袋を用いるこの種袋詰め装置を、ガゼット袋用の袋詰め装置として両用できるのである。【選択図】図１
0003115337.tif 000002
【実用新案登録請求の範囲】
【請求項１】
ロータの回転による２個１組のクランプの間歇公転軌道に、前記クランプの公転方向に向けて、前記１組のクランプに供給される包袋を同２個のクランプで挟持して吊り下げる給袋セクションと、前記クランプで支持する包袋の袋口を加熱シーラと却シーラとで挟圧して、前記両シーラの温度差でもって前記包袋両側のひだを同包袋内部の一側面に溶着するひだ処理セクションと、前記ひだが包袋内部に接着していない側から作動する要素により包袋下部を、ひだが包袋の内面に溶着している側の方向に押し上げると共に、前記両クランプを接近して前記包袋の袋口を広げ、この開口した袋口にホッパーを差し入れて被包装物を充填する充填セクションとを設けた包装装置。
【請求項２】
ひだが包袋内部に接着していない側から包袋下部を、ひだが包袋の内面に溶着している側の方向に押し上げる要素を、充填セクションに下辺を軸にして起伏回転する作動プレートを設け、該作動プレート回転で前記包袋下部を押し上げて同包袋をくの字曲げするようにした請求項１に記載の装置。
【考案の詳細な説明】
【技術分野】
【０００１】
本考案は、多数の包袋を無端軌道に沿って等間隔で運搬しながら、これら各包袋に被包装物を順次充填するロータリ式の袋詰め包装装置に関する。
【背景技術】
【０００２】
この種の袋詰め包装装置は一般に、ロータ周縁に設置した一対の１組のクランプを、前記ロータの回転で間歇的に移動させ、第１の停止セクションで前記１組のクランプに包袋を供給して吊り下げ、この吊り下げた包袋の口を前記一対のクランプ接近で開口し、後方の停止セクションで前記の開口した包袋にホッパーを差し入れて被包装物を充填したあと、シールバーの配置セクションに前記包袋を搬入して前記袋口を密封する構成である。だたし前記の「包袋」と称するものは平袋であって、両側に折込ひだのあるガゼット袋を用いる包装装置は、下記のような特別な機能を供える必要がある。
【０００３】
すなわち、前記のごとき折込ひだを備えるガゼット袋は、前記ひだを隔てる４隅に４個の側縁を形成しているから、下記の特許文献１は、２個の真空カップで包袋の口縁を吸着して前記ひだを引き伸ばし、開口した包袋の２個の側縁を２個のクランプで支持する構成であり、一方特許文献２は開口した包袋の４隅の各側縁を４個のクランプで挟持する構成であって、上記平袋専用の袋詰め装置も、前記のガゼット袋専用の袋詰め装置も、いずれもが両袋の兼用させることができない構成である。
【０００４】
【特許文献１】実公昭５５−２３９３１号公報
【特許文献２】実開昭５５−９０５０６号公報
【考案の開示】
【０００５】
本考案は平袋を用いる包装装置の使用範囲を広げるために、ロータの回転による２個１組のクランプの間歇公転軌道に、前記クランプの公転方向に向けて、前記１組のクランプに供給される包袋を同２個のクランプで挟持して吊り下げる給袋セクションと、前記クランプで支持する包袋の袋口を加熱シーラと却シーラとで挟圧して、前記両シーラの温度差でもって前記包袋両側のひだを同包袋内部の一側面に溶着するひだ処理セクションと、前記ひだが包袋内部に接着していない側から作動プレートにより包袋下部を、ひだが包袋の内面に溶着している側の方向に押し上げると共に、前記両クランプを接近して前記包袋の袋口を広げ、この開口した袋口にホッパーを差し入れて被包装物を充填する充填セクションとを設けて構成する。
【０００６】
前記構成の給袋セクション後位のひだ処理セクションで、前記クランプで支持する包袋の袋口を加熱シーラと却シーラとで挟圧して、前記両シーラの温度差でもって前記包袋両側のひだを、同包袋内部の一側面に溶着し、次の充填セクションで、まずひだが包袋内部に接着していない側から作動プレートにより包袋下部を、前記ひだが包袋の内面に溶着している側の方向に押し上げる。要するに包袋のくの字曲げにより、ひだを溶着する袋一側面にも折り曲げ力が働き、結局折り曲げによる反力は前記ひだ溶着面を外方向に膨らますように作用するので、前記両クランプの接近と相まって前記包袋の袋口は広がる。したがってひだを持つガゼット袋でも同袋口に、やや径の小さいホッパーを差し入れて被包装物を充填することが可能となるのであり、かかる包装装置はもともと平袋を用いる袋詰め装置であるから、平袋と兼用してガゼット袋用の袋詰め装置として両用できるのである。
【実施例１】
【０００７】
図２は、基本的には平袋を用いて被包装物の充填を行うロータリ袋詰め装置の平面を示すものである。該図において、円形ロータ１１は周面に、先端にそれぞれクランプ１２を備える２本を１組とするアーム１３を等間隔に備える。前記８組のアーム１３はそれぞれピン１４を介して前記ロータ１１に支持され、一対の扇形ギヤ１５が前記一対のアーム１３の対称的な回転を可能にしている。つまり一側のピン１４から突き出るレバー１６の端は、コイルスプリング１７の引きつけ力より全周カム１８に圧接しており、前記ロータ１１の回転１９により前記各クランプ１２が公転軌道を移動するとき、前記カム１８の変形でもって各組のクランプ１２の間隔は変化するのである。
【０００８】
本考案は、前記構成の公転軌道を間歇移動する前記クランプ１２が給袋セクション２０で停止すると、載積配置する包袋１０を真空カップ２１は吸着して前記クランプ１２に供給し、同クランプ１２は前記包袋１０の両側縁を挟持して吊り下げ、次の処理セクション３０に前記包袋１０を移動させる。
【０００９】
前記処理セクション３０において仮想線で示す加熱シーラ２２と、冷却シーラ２３との具体的構成は、図３に示すごとく、内部にヒータ２４を備える横方向に長い前記加熱シーラ２２及びそれを支持するラックバー２５と、内部に冷却水通路２６を形成する前記冷却シーラ２３及びそれを支持するラックバー２７とを、その間に設置した歯車２８の回転で相対移動させることにより、前記両シーラ２２、２３は、クランプ１２が支持する包袋１０の袋口を挟圧し、前記加熱シーラ２２により包袋１０の一側面２９を折り込みひだ３１に溶着するのである。つまり図１に示すように、前記両シーラの温度差により折込ひだ３１は、包袋１０の一側面２９にのみ溶着するのであ。
【００１０】
図２において充填ホッパー３２を配置した充填セクション４０には、図４に示すように、機台３３にプレート３４を回転自在に支持する共に、同プレート３４の回転操作用のリンク３５を設置している。このプレート３４は通常、仮想線で示す位置にあって、前記包袋１０が到達すると時計方向に回転する。要するにひだ３１が包袋１０の内部に接着していない側（A）から前記包袋１０の下部を、前記ひだ３１が包袋１０の内面に溶着している側（B）に向けて押し上げる。この結果、前記包袋１０のくの字曲げ現象が起こり、ひだ３１を溶着する袋一側面２９にも折り曲げ力が働く。
【００１１】
前記の面２９はひだ３１の溶着で３枚重なりで弾力があるので、この折り曲げによる反力（弾力）は前記ひだ３１の溶着面２９を外方向に膨らますように作用する。この結果、図５における前記両クランプ１２の矢印３６のごとき接近と相まって、前記包袋１０の袋口は広がる。従ってひだ３１を持つガゼット袋でも、同袋口にホッパー３２の差し入れが可能になり、被包装物の充填が可能となるのである。
【００１２】
つまり前記の包装装置はもともと平袋を用いる袋詰め装置であるから、この考案が目的とする、平袋と兼用してガゼット袋用の袋詰め装置として両用できるのである。また先に表示した特許文献のように、ガゼット袋の４隅をそれぞれクランプで支持して被包装物を充填するタイプの包装装置では、被包装物の重量により各折込ひだの上縁が包袋の上縁より下に沈み込むことになるが、本願では包袋とひだとを溶着しているので、被包装物充填でのひだの沈み込みがなくなり、包袋口縁を面一に美的シールすることによる美的効果の期待がある。
【図面の簡単な説明】
【００１３】
【図１】包袋の部分的な平面図
【図２】包袋装置の平面図
【図３】ひだ溶着機構の側面図
【図４】充填セクションの側面図
【図５】前図の部分的平面図
【符号の説明】
【００１４】
１０‥‥包袋
１１‥‥ロータ
１２‥‥クランプ
２０‥‥給袋セクション
２２‥‥加熱シーラ
２３‥‥冷却シーラ
２４‥‥ヒータ
２５‥‥冷却水通路
２９‥‥包袋の一側面
３０‥‥処理セクション
３１‥‥折込ひだ
３２‥‥充填ホッパー
３４‥‥作動プレート
４０‥‥充填セクション
【図１】
0003115337.tif 000003
【図２】
0003115337.tif 000004
【図３】
0003115337.tif 000005
【図４】
0003115337.tif 000006
【図５】
0003115337.tif 000007